(57)【要約】      （修正有）【課題】酸化剤を使用せずとも、細菌などの微生物に対して不活化効果を得ることができる水処理方法を提供する。【解決手段】被処理水に対して、ブラックライトと該ブラックライトとは異なる紫外光を同時に照射してなり、紫外光の平均紫外線照度は、０．２５μＷ／ｃｍ２〜７．５μＷ／ｃｍ２の範囲が好ましく、紫外光は、ピーク波長が２２２ｎｍからなるものが好ましい。これにより、酸化剤を使用せずとも、細菌などの微生物に対して十分な不活化効果を得る。【選択図】図２
2018023935.tif 000002
【特許請求の範囲】
【請求項１】
被処理水に対して、ブラックライトと該ブラックライトとは異なる紫外光を同時に照射してなる水処理方法。
【請求項２】
前記紫外光の平均紫外線照度は、０．２５μＷ／ｃｍ２〜７．５μＷ／ｃｍ２の範囲からなる請求項１に記載の水処理方法。
【請求項３】
前記紫外光は、ピーク波長が２２２ｎｍである請求項１又は２に記載の水処理方法。
【発明の詳細な説明】
【技術分野】
【０００１】
本発明は、紫外光を利用して水処理を行う水処理方法に関する。
【背景技術】
【０００２】
一般的に、水道水として用いる原水を浄化する方法として、塩素や次亜塩素酸等の塩素系加工物からなる酸化剤を注入して塩素消毒を行う方法が知られている。しかしながら、この種の塩素消毒においては、被処理水に対して酸化剤の注入量を多くして遊離塩素の濃度を高くすると、塩素の副生成物であるトリハロメタンなどの有害物質が生成されるという問題がある一方、酸化剤の注入量を少なくして遊離塩素の濃度を低くすると、細菌などの微生物に対して不活化効果が得られないという問題があった。
【０００３】
そこで、このような問題を解決すべく、特許文献１に記載の発明が提案されている。この発明は、被処理水に対して、酸化剤を投入した上で、短波長２５４ｎｍや１８５ｎｍを含む紫外光を照射することにより、被処理水中の細菌を死滅させるというものである。
【０００４】
しかしながら、この発明は、トリハロメタンなどの有害物質が生成されるという問題がある一方で、波長１８５ｎｍの紫外光は水中での透過率が低く、細菌などの微生物に対して不活化効果が得られないという問題があった。
【０００５】
そこで、さらにこのような問題を解決すべく、特許文献２に記載の発明が提案されている。この発明は、被処理水に対して、波長２００ｎｍ〜２４０ｎｍの光を少なくとも含む、クリプトンクロライド（ＫｒＣｌ）エキシマランプより放射された紫外光を照射し、その後、酸化剤を供給するというものである。
【先行技術文献】
【特許文献】
【０００６】
【特許文献１】特開２０１０−２７９９０９号公報
【特許文献２】特許第５８１９１３５号公報
【発明の概要】
【発明が解決しようとする課題】
【０００７】
しかしながら、この発明は、酸化剤の使用量を低減することができ、細菌などの微生物を不活化することができるものの、酸化剤を必ず使用する必要があるため、トリハロメタンなどの有害物質が生成されてしまうという問題を解決できるものではなかった。
【０００８】
そこで、本発明は、上記問題に鑑み、酸化剤を使用せずとも、細菌などの微生物に対して不活化効果を得ることができる水処理方法を提供することを目的としている。
【課題を解決するための手段】
【０００９】
上記本発明の目的は、以下の手段によって達成される。なお、括弧内は、後述する実施形態の参照符号を付したものであるが、本発明はこれに限定されるものではない。
【００１０】
すなわち、請求項１の水処理方法は、被処理水に対して、ブラックライト（８）と該ブラックライト（８）とは異なる紫外光（２）を同時に照射してなることを特徴としている。紫外光（２）の平均紫外線照度は、請求項２の発明に記載の０．２５μＷ／ｃｍ２〜７．５μＷ／ｃｍ２の範囲が好ましく、紫外光は、請求項３の発明に記載のピーク波長が２２２ｎｍからなるものが好ましい。
【発明の効果】
【００１１】
本発明によれば、酸化剤を使用せずとも、細菌などの微生物に対して不活化効果を得ることができる。
【図面の簡単な説明】
【００１２】
【図１】本発明に係る水処理方法の実験装置を示す斜視図である。
【図２】図１に示す実験装置を用いて実験した結果を示し、（ａ）はピーク波長が２５４ｎｍの紫外光を用いて、紫外線のみを試料に照射した場合の平均紫外線量に対するｌｏｇ生残率と、紫外線とブラックライトを試料に同時照射した場合の平均紫外線量に対するｌｏｇ生残率を示し、（ｂ）はピーク波長が２８２ｎｍの紫外光を用いて、紫外線のみを試料に照射した場合の平均紫外線量に対するｌｏｇ生残率と、紫外線とブラックライトを試料に同時照射した場合の平均紫外線量に対するｌｏｇ生残率を示し、（ｃ）はピーク波長が２２２ｎｍの紫外光を用いて、紫外線のみを試料に照射した場合の平均紫外線量に対するｌｏｇ生残率と、紫外線とブラックライトを試料に同時照射した場合の平均紫外線量に対するｌｏｇ生残率を示した図である。
【図３】図１に示す実験装置を用いて実験した結果を示し、（ａ）は平均紫外線照度が７．５μＷ／ｃｍ２でピーク波長が２２２ｎｍの紫外光を用いて、紫外線のみを試料に照射した場合の平均紫外線量に対するｌｏｇ生残率と、紫外線とブラックライトを試料に同時照射した場合の平均紫外線量に対するｌｏｇ生残率を示し、（ｂ）は平均紫外線照度が０．２５μＷ／ｃｍ２でピーク波長が２２２ｎｍの紫外光を用いて、紫外線のみを試料に照射した場合の平均紫外線量に対するｌｏｇ生残率と、紫外線とブラックライトを試料に同時照射した場合の平均紫外線量に対するｌｏｇ生残率を示し、（ｃ）は平均紫外線照度が１０．０μＷ／ｃｍ２でピーク波長が２２２ｎｍの紫外光を用いて、紫外線のみを試料に照射した場合の平均紫外線量に対するｌｏｇ生残率と、紫外線とブラックライトを試料に同時照射した場合の平均紫外線量に対するｌｏｇ生残率を示した図である。
【発明を実施するための形態】
【００１３】
以下、本発明に係る水処理方法を、図面を参照して具体的に説明する。なお、以下の説明において、上下左右の方向を示す場合は、図示正面から見た場合の上下左右をいうものとする。
【００１４】
本実施形態に係る水処理方法は、被処理水に対して、ブラックライトと該ブラックライトとは異なる紫外光を同時に照射することで、酸化剤を使用せずとも、細菌などの微生物に対して不活化効果を得ることができるというものである。より具体的に説明すると、被処理水は、どのような物でも良いが、例えば、塩素系化合物よりなる酸化剤によって塩素消毒処理されていないもの、具体的には遊離塩素が含まれないもの、又は、遊離塩素が含まれていても極めて少量のものである。
【００１５】
また、ブラックライトは、殺菌作用のある紫外線（ＵＶ−Ｃ）を発光せず紫外線（ＵＶ−Ａ）を発光し、可視光は殆ど発光しないように設計されたランプであり、発光スペクトルは、波長３１５〜４００ｎｍで、３６５ｎｍ付近がピーク波長となるものである。
【００１６】
一方、紫外光は、単位面積・単位時間当りに光源から照射された紫外線の強さである紫外線照度の平均紫外線照度が低紫外線照度からなるもので、低紫外線照度として、０．２５μＷ／ｃｍ２〜７．５μＷ／ｃｍ２の範囲からなるものが好ましい。この紫外線照度は、被処理水の吸光度と水深によって左右され、吸光度が高い程又は水深が大きくなればなるほど照度が減少するもので、以下の数式で表すことができる。
【００１７】
【数１】
2018023935.tif 000003
【００１８】
なお、Ｉは紫外線照度、Ｉ０は表面紫外線照度、Ａは被処理水の吸光度、ｄは水深である。
【００１９】
一方、平均紫外線照度は、紫外線が照射された３次元空間における紫外線照度の平均値のことであり、紫外線照度を水深の深さ方向で積分することで算出できるものであり、以下の数式で表すことができる。
【００２０】
【数２】
2018023935.tif 000004
【００２１】
また一方、このような紫外光としては、ピーク波長が２２２ｎｍであるクリプトンクロライド（ＫｒＣｌ）エキシマランプを使用するのが好ましい。
【００２２】
かくして、このようなブラックライトと紫外光を被処理水に対して同時に照射するようにすれば、酸化剤を使用せずとも、細菌などの微生物に対して不活化効果を得ることができる。
【実施例】
【００２３】
ここで、発明者らは、上記説明した内容を証明するため、以下の実験を行った。それを実験１〜６として説明することとする。
【００２４】
＜実験装置＞
まず、実験１〜実験６の実験を行うにあたって、共通の実験装置を用いて行った。この共通の実験装置とは図１に示すものである。すなわち、図１に示すように、実験装置１は、紫外線Ｓが鉛直下向き方向（図示下方向）に照射される紫外光２を備え、この紫外光２の下面側には、薄板矩形状の第１仕切板３が配置されている。そして、この第１仕切板３の中央部には、薄板矩形状の第２仕切板４が立設されている。これにより、第１仕切板３の下面には、第１試料室Ｈ１，第２試料室Ｈ２の空間が形成されることとなる。なお、第１試料室Ｈ１，第２試料室Ｈ２の上面に位置する第１仕切板３には、夫々、円形状の貫通孔３ａが夫々上下方向に貫通されて設けられており、この貫通孔３ａを通って、紫外光２より照射された紫外線Ｓが第１試料室Ｈ１，第２試料室Ｈ２内に夫々照射されることとなる。
【００２５】
そして、この第１試料室Ｈ１内には、第１設置台５ａ上に設置された第１シャーレ６ａが設けられている。この第１シャーレ６ａ内には、後述する試料（被処理水に相当するもの）と第１十字撹拌子６ａ１が設けられ、第１シャーレ６ａ上面には第１石英ガラス７ａが載置されている。
【００２６】
一方、第２試料室Ｈ２内には、第２設置台５ｂ上に設置された第２シャーレ６ｂが設けられている。この第２シャーレ６ｂ内には、後述する試料（被処理水に相当するもの）と第２十字撹拌子６ｂ１が設けられ、第２シャーレ６ｂ上面には第２石英ガラス７ｂが載置されている。そして、この第２シャーレ６ｂの外周には、ブラックライト８が設けられている。
【００２７】
かくして、このように構成される実験装置１を用いて、以下の実験１〜実験６を行った。
【００２８】
＜実験１＞
まず、発明者らは、紫外光２として、日本フォトサイエンス社製のピーク波長が２５４ｎｍである低圧水銀ランプを使用し、ブラックライト８として、オーム電機社製４Ｗのブラックライトを使用し、図１に示す実験装置１を用いて、大腸菌Ｅ．Ｃｏｌｉ  Ｃに対し、紫外線照射のみ行った場合の試料と、紫外線照射とブラックライト８を同時照射した場合の試料の不活化実験を行った。以下に実験手順並びに実験条件を示す。
【００２９】
＜実験手順＞
１．滅菌済みのリン酸緩衝液に大腸菌Ｅ．Ｃｏｌｉ  Ｃ原液を適量添加し、それを試料（被処理水に相当するもの）とする。
２．第１シャーレ６ａの内径と水深を測定すると共に、第２シャーレ６ｂの内径と水深も測定する。
３．分光光度計で試料の２５４ｎｍの吸光度を測定する。
４．実験開始時の照度を紫外線照度計にて測定する。また、紫外線照度計の受光部に第１石英ガラス７ａ，第２石英ガラス７ｂを乗せ、照度を測定し、第１石英ガラス７ａ，第２石英ガラス７ｂの有無による照度への影響を調べる。
５．第１シャーレ６ａ内に第１十字撹拌子６ａ１と試料を入れ、気泡が入らないように注意しながら第１石英ガラス７ａで蓋をする。そしてさらに、第２シャーレ６ｂ内に第２十字撹拌子６ｂ１と試料を入れ、気泡が入らないように注意しながら第２石英ガラス７ｂで蓋をする。
６．試料から０．１ｍｌ採取し、この試料を照射時間０秒の試料とする。
７．試料が入った第１シャーレ６ａ，第２シャーレ６ｂを遮蔽板（図示せず）で覆い、第１シャーレ６ａ内に設けられている第１十字撹拌子６ａ１を回し、第２シャーレ６ｂ内に設けられている第２十字撹拌子６ｂ１を回す。
８．遮蔽板（図示せず）を取り、紫外光２より紫外線Ｓを照射する。この際、２つの試料に照射される紫外線量を同じにするため、開始と終了のタイミングを合せる。
９．照射後、試料を０．１ｍＬ採取する。
１０．照射時間を変えて６．〜１０．の手順を繰り返す。
１１．実験後の照度を測定する。
１２．混釈法にて採取した試料の濃度を測定（混釈法にて大腸菌Ｅ．Ｃｏｌｉ  Ｃのコロニー数を測定）することによって、殺菌効果（ｌｏｇ生残率）を測定する。
【００３０】
＜実験条件＞
平均紫外線照度：約１μＷ／ｃｍ２
試料とブラックライト８との距離：４．０ｃｍ
試料と紫外光２との距離：４７．０ｃｍ
吸光度：０．３７３ｃｍ−１
水深：１．７ｃｍ
表面紫外線照度：１．８４μＷ／ｃｍ２
なお、表面紫外線照度は紫外線照度計を用いて計測したもので、平均紫外線照度は、上記数式１，２を用いて算出したものである。
【００３１】
かくして、以上のような実験手順並びに実験条件に基づいて実験を行った結果、図２（ａ）に示す結果を得た。なお、図２（ａ）に示す「ＢＬ」とはブラックライトの略称であり、平均紫外線量（ｍＪ／ｃｍ２）は、以下の数式で算出したものである。
【００３２】
【数３】
2018023935.tif 000005
【００３３】
すなわち、上記説明した＜実験手順＞「１０．照射時間を変えて６．〜１０．の手順を繰り返す」という点における「照射時間を変えて」というのは、上記数式３に照らせば、平均紫外線量を５（ｍＪ／ｃｍ２）にするには、本実験における平均紫外線照度は１（μＷ／ｃｍ２）であるから、照射時間は、５０００（ｓ）にすれば良いこととなり、平均紫外線量を１０（ｍＪ／ｃｍ２）にするには、本実験における平均紫外線照度は１（μＷ／ｃｍ２）であるから、照射時間は、１００００（ｓ）にすれば良いこととなる。このようにして、照射時間を変えていくことにより、図２（ａ）に示す平均紫外線量に対する試料の殺菌効果（ｌｏｇ生残率）の結果を得ることができた。
【００３４】
しかるに、図２（ａ）に示す結果によれば、紫外線照射のみの方が、紫外線照射とブラックライトを同時照射した場合よりも不活化効率が高いという結果となった。
【００３５】
＜実験２＞
次に、発明者らは、紫外光２として、ウシオ電機社製のピーク波長が２８２ｎｍであるＸｅＢｒエキシマランプを使用し、ブラックライト８として、オーム電機社製４Ｗのブラックライトを使用し、図１に示す実験装置１を用いて、大腸菌Ｅ．Ｃｏｌｉ  Ｃに対し、紫外線照射のみ行った場合の試料と、紫外線照射とブラックライト８を同時照射した場合の試料の不活化実験を行った。なお、実験手順は、実験１で示した「３．分光光度計で試料の２５４ｎｍの吸光度を測定する。」が「３．分光光度計で試料の２８２ｎｍの吸光度を測定する。」に変わるだけでそれ以外は同一である。実験条件は以下の通りである。
【００３６】
＜実験条件＞
平均紫外線照度：約１μＷ／ｃｍ２
試料とブラックライト８との距離：４．０ｃｍ
試料と紫外光２との距離：４５．０ｃｍ
吸光度：０．２４ｃｍ−１
水深：１．７ｃｍ
表面紫外線照度：１．３５μＷ／ｃｍ２
なお、表面紫外線照度は紫外線照度計を用いて計測したもので、平均紫外線照度は、上記数式１，２を用いて算出したものである。
【００３７】
かくして、以上のような実験手順並びに実験条件に基づいて実験を行った結果、図２（ｂ）に示す結果を得た。なお、図２（ｂ）に示す「ＢＬ」とはブラックライトの略称であり、平均紫外線量（ｍＪ／ｃｍ２）は、数式３を用いて算出したものである。
【００３８】
しかるに、図２（ｂ）に示す結果によれば、紫外線照射のみの方が、紫外線照射とブラックライトを同時照射した場合よりも不活化効率が高いという結果となった。
【００３９】
＜実験３＞
次に、発明者らは、紫外光２として、ウシオ電機社製のピーク波長が２２２ｎｍであるクリプトンクロライド（ＫｒＣｌ）エキシマランプを使用し、ブラックライト８として、オーム電機社製４Ｗのブラックライトを使用し、図１に示す実験装置１を用いて、大腸菌Ｅ．Ｃｏｌｉ  Ｃに対し、紫外線照射のみ行った場合の試料と、紫外線照射とブラックライト８を同時照射した場合の試料の不活化実験を行った。なお、実験手順は、実験１で示した「３．分光光度計で試料の２５４ｎｍの吸光度を測定する。」が「３．分光光度計で試料の２２２ｎｍの吸光度を測定する。」に変わるだけでそれ以外は同一である。実験条件は以下の通りである。
【００４０】
＜実験条件＞
平均紫外線照度：約１μＷ／ｃｍ２
試料とブラックライト８との距離：４．０ｃｍ
試料と紫外光２との距離：４６．０ｃｍ
吸光度：１．１５３ｃｍ−１
水深：１．７ｃｍ
表面紫外線照度（紫外線照射のみ）：５．０９μＷ／ｃｍ２
表面紫外線照度（紫外線とブラックライトを同時照射）：４．７０μＷ／ｃｍ２
なお、表面紫外線照度は紫外線照度計を用いて計測したもので、平均紫外線照度は、上記数式１，２を用いて算出したものである。
【００４１】
かくして、以上のような実験手順並びに実験条件に基づいて実験を行った結果、図２（ｃ）に示す結果を得た。なお、図２（ｃ）に示す「ＢＬ」とはブラックライトの略称であり、平均紫外線量（ｍＪ／ｃｍ２）は、数式３を用いて算出したものである。
【００４２】
しかるに、図２（ｃ）に示す実験結果によれば、紫外線照射とブラックライトを同時照射した方が、紫外線照射のみに比べ不活化効率が高いという結果となった。
【００４３】
＜実験１〜実験３に対する結論＞
以上の実験結果により、試料に対して、ピーク波長が２２２ｎｍであるクリプトンクロライド（ＫｒＣｌ）エキシマランプとブラックライトを同時照射するようにすれば、相乗効果が生じ不活化効率が高くなるということが分かった。
【００４４】
なお、実験１，２において、紫外線照射とブラックライトを同時照射した場合に、ｌｏｇ生残率が高くなったのは、ブラックライトを同時照射したことにより大腸菌Ｅ．Ｃｏｌｉ  ＣのＤＮＡが酵素的光回復現象により修復されたものと考えられる。
【００４５】
以上の結果を受けて、発明者らは、紫外光２として、ウシオ電機社製のピーク波長が２２２ｎｍであるクリプトンクロライド（ＫｒＣｌ）エキシマランプを使用した際、平均紫外線照度を変更した場合も実験３と同様の結果を得ることができるのかを確かめるため、実験４〜６を行った。
【００４６】
＜実験４＞
まず、発明者らは、平均紫外線照度：約７．５μＷ／ｃｍ２となるようにしたウシオ電機社製のピーク波長が２２２ｎｍであるクリプトンクロライド（ＫｒＣｌ）エキシマランプを使用し、ブラックライト８として、オーム電機社製４Ｗのブラックライトを使用し、図１に示す実験装置１を用いて、大腸菌Ｅ．Ｃｏｌｉ  Ｃに対し、紫外線照射のみ行った場合の試料と、紫外線照射とブラックライト８を同時照射した場合の試料の不活化実験を行った。なお、実験手順は、実験１で示した「３．分光光度計で試料の２５４ｎｍの吸光度を測定する。」が「３．分光光度計で試料の２２２ｎｍの吸光度を測定する。」に変わるだけでそれ以外は同一である。実験条件は以下の通りである。
【００４７】
＜実験条件＞
平均紫外線照度：約７．５μＷ／ｃｍ２
試料とブラックライト８との距離：４．０ｃｍ
試料と紫外光２との距離：３５．０ｃｍ
吸光度：１．０７５ｃｍ−１
水深：１．７ｃｍ
表面紫外線照度：３２．８μＷ／ｃｍ２
なお、表面紫外線照度は紫外線照度計を用いて計測したもので、平均紫外線照度は、上記数式１，２を用いて算出したものである。
【００４８】
かくして、以上のような実験手順並びに実験条件に基づいて実験を行った結果、図３（ａ）に示す結果を得た。なお、図３（ａ）に示す「ＢＬ」とはブラックライトの略称であり、平均紫外線量（ｍＪ／ｃｍ２）は、数式３を用いて算出したものである。
【００４９】
しかるに、図３（ａ）に示す実験結果によれば、実験３と同様、紫外線照射とブラックライトを同時照射した方が、紫外線照射のみに比べ不活化効率が高いという結果となった。
【００５０】
＜実験５＞
次に、発明者らは、平均紫外線照度：約０．２５μＷ／ｃｍ２となるようにしたウシオ電機社製のピーク波長が２２２ｎｍであるクリプトンクロライド（ＫｒＣｌ）エキシマランプを使用し、ブラックライト８として、オーム電機社製４Ｗのブラックライトを使用し、図１に示す実験装置１を用いて、大腸菌Ｅ．Ｃｏｌｉ  Ｃに対し、紫外線照射のみ行った場合の試料と、紫外線照射とブラックライト８を同時照射した場合の試料の不活化実験を行った。なお、実験手順は、実験１で示した「３．分光光度計で試料の２５４ｎｍの吸光度を測定する。」が「３．分光光度計で試料の２２２ｎｍの吸光度を測定する。」に変わるだけでそれ以外は同一である。実験条件は以下の通りである。
【００５１】
＜実験条件＞
平均紫外線照度：約０．２５μＷ／ｃｍ２
試料とブラックライト８との距離：４．０ｃｍ
試料と紫外光２との距離：５０．０ｃｍ
吸光度：１．０４２ｃｍ−１
水深：１．７ｃｍ
表面紫外線照度：１．０７μＷ／ｃｍ２
なお、表面紫外線照度は紫外線照度計を用いて計測したもので、平均紫外線照度は、上記数式１，２を用いて算出したものである。
【００５２】
かくして、以上のような実験手順並びに実験条件に基づいて実験を行った結果、図３（ｂ）に示す結果を得た。なお、図３（ｂ）に示す「ＢＬ」とはブラックライトの略称であり、平均紫外線量（ｍＪ／ｃｍ２）は、数式３を用いて算出したものである。
【００５３】
しかるに、図３（ｂ）に示す実験結果によれば、実験３と同様、紫外線照射とブラックライトを同時照射した方が、紫外線照射のみに比べ不活化効率が高いという結果となった。
【００５４】
＜実験６＞
次に、発明者らは、平均紫外線照度：約１０．０μＷ／ｃｍ２となるようにしたウシオ電機社製のピーク波長が２２２ｎｍであるクリプトンクロライド（ＫｒＣｌ）エキシマランプを使用し、ブラックライト８として、オーム電機社製４Ｗのブラックライトを使用し、図１に示す実験装置１を用いて、大腸菌Ｅ．Ｃｏｌｉ  Ｃに対し、紫外線照射のみ行った場合の試料と、紫外線照射とブラックライト８を同時照射した場合の試料の不活化実験を行った。なお、実験手順は、実験１で示した「３．分光光度計で試料の２５４ｎｍの吸光度を測定する。」が「３．分光光度計で試料の２２２ｎｍの吸光度を測定する。」に変わるだけでそれ以外は同一である。実験条件は以下の通りである。
【００５５】
＜実験条件＞
平均紫外線照度：約１０．０μＷ／ｃｍ２
試料とブラックライト８との距離：４．０ｃｍ
試料と紫外光２との距離：２９．５ｃｍ
吸光度：１．３３１ｃｍ−１
水深：１．７ｃｍ
表面紫外線照度（紫外線照射のみ）：５２．８μＷ／ｃｍ２
表面紫外線照度（紫外線とブラックライトを同時照射）：６１．９μＷ／ｃｍ２
なお、表面紫外線照度は紫外線照度計を用いて計測したもので、平均紫外線照度は、上記数式１，２を用いて算出したものである。
【００５６】
かくして、以上のような実験手順並びに実験条件に基づいて実験を行った結果、図３（ｃ）に示す結果を得た。なお、図３（ｃ）に示す「ＢＬ」とはブラックライトの略称であり、平均紫外線量（ｍＪ／ｃｍ２）は、数式３を用いて算出したものである。
【００５７】
しかるに、図３（ｃ）に示す実験結果によれば、紫外線照射とブラックライトを同時照射した場合と紫外線のみ照射した場合とで、顕著な差はでなかった。
【００５８】
＜実験４〜実験６に対する結論＞
しかして、実験４〜実験６の実験結果により、試料に対して、ピーク波長が２２２ｎｍであるクリプトンクロライド（ＫｒＣｌ）エキシマランプとブラックライトを同時照射するにあたって、ピーク波長が２２２ｎｍであるクリプトンクロライド（ＫｒＣｌ）エキシマランプの平均紫外線照度を０．２５μＷ／ｃｍ２〜７．５μＷ／ｃｍ２の範囲にすることで、不活化効率が高くなるということが分かった。なお、平均紫外線照度を０．２５μＷ／ｃｍ２より低くして実験を行おうとしたが、これ以上紫外線照度を下げることは物理的に不可能であったため、平均紫外線照度を０．２５μＷ／ｃｍ２より低くする実験は行っていない。
【００５９】
しかして、以上説明した実験結果によれば、被処理水に対して、ブラックライトと該ブラックライトとは異なる紫外光を同時に照射することで、酸化剤を使用せずとも、細菌などの微生物に対して不活化効果を得ることができ、特に、その効果は、ピーク波長が２２２ｎｍであるクリプトンクロライド（ＫｒＣｌ）エキシマランプとブラックライトを同時照射し、さらに、ピーク波長が２２２ｎｍであるクリプトンクロライド（ＫｒＣｌ）エキシマランプの平均紫外線照度を０．２５μＷ／ｃｍ２〜７．５μＷ／ｃｍ２の範囲にした際に最も顕著に表れることが分かった。
【００６０】
ところで、本実施形態における水処理方法は、加湿器、浄水器、ボトルウォーターサーバ等に適用可能である。
【符号の説明】
【００６１】
１        実験装置
２        紫外光
８        ブラックライト
【図１】
2018023935.tif 000006
【図２】
2018023935.tif 000007
【図３】
2018023935.tif 000008